(57)【要約】      （修正有）【課題】商品の展示・販促または展示会のブース内などに設置して使用する商品陳列装置の前を通る人に芳香を届けることで商品に対して興味を喚起させ、また商品陳列装置の前に立つ人を対象に、その近傍の限られた狭い空間だけに芳香を感じさせる商品陳列装置及び商品陳列装置の芳香制御方法を提供する。【解決手段】カウンターユニットには、空間に向かって空気を吹出す吹出口１８が設けられ、コラムユニット２０には風道２６が設けられ、天井ユニット３０には、空間の空気を吸込む吸込口３８と、空間前面に向けて香料を噴射する少なくとも1個の香料噴射部３９が設けられ、商品陳列装置１のカウンターユニットの吹出口からの吹出す風量を、天井ユニットの下面板に設けられた吸込口から吸込む風量の１／５〜１／１０程度になるように、カウンターユニットに設けた排気ファン４１及び吹出ファン４２をテーブルユニットに内装した電源装置により電気的に調節する。【選択図】図２
2020162923.tif 000002
【特許請求の範囲】
【請求項１】
商品を陳列するカウンターユニットと、
該カウンターユニットの背面に接して起立して取り付けられるコラムユニットと、
該コラムユニットの上方に設けられた天井ユニットと、
前記カウンターユニットと前記コラムユニット及び前記天井ユニットとの間に形成される少なくとも前面が開放された空間とからなる商品陳列装置において、
前記カウンターユニットには、前記空間に向かって空気を吹出す吹出口が設けられ、
前記コラムユニットには風道が設けられ、
前記天井ユニットには、前記空間の空気を吸込む吸込口が設けられるとともに、
該天井ユニットには、前記空間の前面に向けて香料を噴射する少なくとも1個の香料噴射部が設けられてなることを特徴とする商品陳列装置。
【請求項２】
前記香料噴射部が、香料収納部と噴射ノズルを備えた香料噴射ユニットを備え、前記香料噴射部から前記空間に向けて噴射する香料が希釈されてなることを特徴とする請求項１に記載の商品陳列装置。
【請求項３】
前記カウンターユニットに設けられる吹出口が、細長い形状であることを特徴とする請求項１に記載の商品陳列装置。
【請求項４】
前記カウンターユニットと前記コラムユニット及び前記天井ユニットとの間に形成される前面が開放された空間に、前記カウンターユニットに設けられる吹出口から、前記空間に空気を吹出すクロスフローファンを設けたことを特徴とする請求項１に記載の商品陳列装置。
【請求項５】
商品を陳列するカウンターユニットと、
該カウンターユニットの背面に接して起立して取り付けられるコラムユニットと、
該コラムユニットの上方に設けられた天井ユニットと、
前記カウンターユニットと前記コラムユニット及び前記天井ユニットとの間に形成される少なくとも前面が開放された空間とからなる商品陳列装置の気流制御方法であって、
ａ）前記カウンターユニットに設けられた吹出口から前記空間に空気を吹出すことと、
ｂ）前記天井ユニットに設けられた吸込口から前記空間の空気を吸込むことにより、
ｃ）前記空間に気流を生じさせることと、
ｄ）前記天井ユニットに設けられた香料噴射部から前記空間の前面に噴射された香料の芳香を、前記気流とともに前記天井ユニットの吸込口から吸込み排出させることと、
ｅ）吸込口から吸込んだ空気を、天井ユニットの吸込口、コラムユニットを経てテーブルユニットに設けた脱臭フィルターにより香料を脱臭し、排気ファンによりテーブルユニット背面に排気すること
とからなることを特徴とする商品陳列装置の気流制御方法。
【請求項６】
商品陳列装置近傍の限られた空間に立つ人には、前記天井ユニットに設けられた香料噴射部から前記空間に噴射される香料の芳香を感じさせ、それ以上商品陳列装置から離れた空間においては、前記噴射された香料を吸込むことにより、前記香料の拡散を抑制することで、商品陳列装置の周囲の人に芳香を感じさせないようにすることを特徴とする請求項５に記載の商品陳列装置の気流制御方法。
【請求項７】
前記カウンターユニットに設けられた吹出口から前記空間に吹出す空気の風量が、前記天井ユニットに設けられた吸込口から吸込む前記空間の空気の風量の１／５〜１／１０であることを特徴とする請求項５又は６に記載の商品陳列装置の気流制御方法。
【請求項８】
前記カウンター部に設けられた吹出口から前記空間に吹出す空気の気流速度が面速０．２〜０．７ｍ／ｓで、前記天井ユニットに設けられた吸込口から吸込む前記空間の空気の気流速度が面速０．５〜１．５ｍ／ｓで、前記天井ユニットに設けられた香料噴射部から噴射される香料が気流速度２．５〜３．５ｍ／ｓであることを特徴とする請求項５又は６に記載の商品陳列装置の気流制御方法。
【発明の詳細な説明】
【技術分野】
【０００１】
本発明は、商品の展示・販促または展示会のブース内などに設置して使用する商品陳列装置及び商品陳列装置の気流制御方法に関し、特に芳香を発する香水や化粧品の陳列に適した商品陳列装置に関する。
【背景技術】
【０００２】
従来、香水や化粧品等の芳香を発生する商品の展示・販促では、商品陳列装置の上に対象商品を陳列し、対象商品に関心がありそうな周辺を歩く人に声をかけ、テストサンプルを用いて芳香を試してもらう方法が一般的である。その際には、芳香が拡散するのを防止するために、香水であれば、小さなペーパーの狭い範囲に少量噴霧して芳香を試してもらうなどしている。
また、商品を陳列した商品陳列装置を化粧品売り場や展示会のブース内などに設置し、消費者等の関心を誘うために前記商品陳列装置の周辺に芳香器を使用して対象商品の芳香を噴射し拡散させるなどの方法も採られている。
複数の商品の展示・販促の場合には、一台の商品陳列装置に段を設けて各段に商品を分けて陳列し商品ごとにテストサンプルを配置して芳香を試してもらったり、あるいは、複数台の商品陳列装置を設置し、それぞれ異なる商品を陳列し、前記商品陳列装置の周辺に芳香を発生させたりして、消費者にアピールをしている。
【０００３】
このような香水や化粧品等の芳香を発生する商品の陳列装置については、特開平１１−７６０１６号公報に、顧客が必要とする商品情報を、特に香水等の化粧品に関する詳細且つ有効な商品情報を提供することのできる陳列什器が開示されている。前記陳列什器は、「顧客からの商品の指定を感知する構成とされた感知手段と、情報表示部と、テストサンプルを載せるサンプル台と、該サンプル台近傍に設けられたサンプル照明と、該情報表示部と該サンプル照明の制御を行う制御部と、を具備し、該感知手段での商品の指定の感知と連動して、該制御部は該情報表示部での該商品の情報提供及び該サンプル照明による該指定に係るテストサンプルの照明のうちの少なくとも一方を行う構成」からなるものである。
この陳列什器によれば、専門の要員を置かない無人の販売の現場であっても、顧客の指示に対応する顧客が求める商品の情報を文字や図や写真等を交えた映像の形で顧客に対し個別に分かりやすく提供することが可能となり、また該顧客の指示に対応して情報表示部で説明する商品を、陳列する多数の商品の中から、顧客に対し明確に指し示すことが可能である、とされている。
【先行技術文献】
【特許文献】
【０００４】
【特許文献１】特開平１１−７６０１６号公報
【発明の概要】
【発明が解決しようとする課題】
【０００５】
上記のように様々な香水や化粧品等の芳香を発生する商品の展示・販促の方法があるが、テストサンプルを用いて芳香を試す場合においては、少量の使用では、鼻を近づけて芳香を嗅ぐなど不自然な状態で、また、多量に使用した場合には、周辺に拡散した芳香が滞留し、他の芳香を試す場合には滞留している芳香が障害となっていた。
また、商品陳列装置を配置して商品の展示・販促を行うにあたり、芳香器を使用する場合は、該芳香器から噴射される芳香が商品陳列装置周辺に滞留し続け、店内や展示会のブース内に芳香が漂い、必要なときに任意の芳香を提供することが困難であった。
一方、複数台の商品陳列装置を設置し、それぞれ異なる芳香を発生させるとそれらの芳香が拡散し相互に混合してしまい個々の芳香の識別に影響を及ぼしてしまうという問題があった。
これらに対処するためには、速やかに芳香を排出すること、芳香の閾値以下に希釈又は脱臭することが必要であるが、拡散した芳香が広い範囲に残るため、速やかに芳香を排出したり閾値以下に希釈したりすることは困難であった。
上記特許文献１に記載の陳列什器においても、任意の商品の選択により該商品の詳細な商品情報が提供され、それに合わせて芳香装置から芳香が拡散される構成であり、前記拡散された芳香が什器周辺だけでなく、該什器を配置している店内やブース内にも広く拡散し滞留するという問題は解消しない。
【０００６】
本発明は、かかる観点に鑑みてなされたもので、商品陳列装置から噴射される芳香を商品陳列装置の設置空間全体に行き渡らせるのではなく、前記芳香をカウンターユニットの吹出口から吹出される気流と商品陳列装置の前面から商品陳列空間に吸引される気流と一緒に天井ユニット吸込口から吸引することで、芳香が商品陳列装置から流れていく距離を制御し、商品陳列装置の前を通る人や商品陳列装置の前に立ち止まる人（例えば１〜３人）に限って芳香を届けることで商品陳列装置に対して興味を喚起させ、また商品陳列装置の前に立つ人を対象に、その近傍の限られた狭い空間だけに芳香を感じさせ、興味を喚起させる商品陳列装置を提供することを目的とする。
また、複数台の商品陳列装置を設置し、それぞれ異なる芳香を発生させても、それらの芳香が拡散して相互に混合することを防止し又速やかに芳香成分濃度を、芳香を感じない閾値以下にすることができる商品陳列装置を提供することを目的とする。
【課題を解決するための手段】
【０００７】
本発明者らは上記課題を下記の手段により解決した。
〈１〉商品を陳列するカウンターユニットと、
該カウンターユニットの背面に接して起立して取り付けられるコラムユニットと、
該コラムユニットの上方に設けられた天井ユニットと、
前記カウンターユニットと前記コラムユニットと前記天井ユニットとの間に形成される少なくとも前面が開放された空間とからなる商品陳列装置において、
前記カウンターユニットには、前記空間に向かって空気を吹出す吹出口が設けられ、
前記コラムユニットには風道が設けられ、
前記天井ユニットには、前記空間の空気を吸込む吸込口が設けられるとともに、
該天井ユニットには、前記空間の前面に向けて香料を噴射する少なくとも1個の香料噴射部が設けられてなることを特徴とする商品陳列装置。
〈２〉前記香料噴射部が、香料収納部と噴射ノズルを備えた香料噴射ユニットを備え、前記香料噴射部から前記空間に向けて噴射する香料が希釈されてなることを特徴とする〈１〉に記載の商品陳列装置。
〈３〉前記カウンターユニットに設けられる吹出口が、細長い形状であることを特徴とする〈１〉に記載の商品陳列装置。
〈４〉前記カウンターユニットと前記コラムユニット及び前記天井ユニットとの間に形成される前面が開放された空間に前記カウンターユニットに設けられる吹出口から、前記空間に空気を吹出す空気を吹出すクロスフローファンを設けたことを特徴とする〈１〉に記載の商品陳列装置。
【０００８】
〈５〉商品を陳列するカウンターユニットと、
該カウンターユニットの背面に接して起立して取り付けられるコラムユニットと、
該コラムユニットの上方に設けられた天井ユニットと、
前記カウンターユニットと前記コラムユニット及び前記天井ユニットとの間に形成される少なくとも前面が開放された空間とからなる商品陳列装置の気流制御方法であって、
ａ）前記カウンターユニットに設けられた吹出口から前記空間に空気を吹出すことと、
ｂ）前記天井ユニットに設けられた吸込口から前記空間の空気を吸込むことにより、
ｃ）前記空間に気流を生じさせることと、
ｄ）前記天井ユニットに設けられた香料噴射部から前記空間の前面に噴射される香料の芳香を、前記気流とともに前記天井ユニットの吸込口から吸込み排出させることと、
ｅ）吸込口から吸込んだ空気を、天井ユニット、コラムユニットを経てテーブルユニットに設けた脱臭フィルターにより香料を脱臭し、排気ファンによりテーブルユニット背面に排気すること
とからなることを特徴とする商品陳列装置の気流制御方法。
〈６〉商品陳列装置近傍の限られた空間に立つ人には、前記天井ユニットに設けられた香料噴射部から前記空間に噴射される香料の芳香を感じさせ、それ以上商品陳列装置から離れた空間においては、前記噴射された香料を吸込むことにより、前記香料の拡散を抑制することで、商品陳列装置の周囲の人に芳香を感じさせないようにすることを特徴とする〈５〉に記載の商品陳列装置の気流制御方法。
〈７〉前記カウンター部に設けられた吹出口から前記空間に吹出す空気の風量が、前記天井ユニットに設けられた吸込口から吸込む前記空間の空気の風量の１／５〜１／１０であることを特徴とする〈５〉又は〈６〉に記載の商品陳列装置の気流制御方法。
〈８〉前記カウンター部に設けられた吹出口から前記空間に吹出す空気の気流速度が面速０．２〜０．７ｍ／ｓで、前記天井ユニットに設けられた吸込口から吸込む前記空間の空気の気流速度が面速０．５〜１．５ｍ／ｓで、前記天井ユニットに設けられた香料噴射部から噴射される香料が気流速度２．５〜３．５ｍ／ｓであることを特徴とする〈５〉又は〈６〉に記載の商品陳列装置の気流制御方法。
【発明の効果】
【０００９】
本発明によれば、特定の範囲内にのみ任意の芳香を提供することができるので、商品陳列装置の前を通る人や商品陳列装置の前に立ち止まる人にのみ芳香を届けることで、商品陳列装置に対して興味を喚起させ、また商品陳列装置の前に立つ人を対象に、その近傍の限られた狭い空間だけに芳香を感じさせることができ、商品に対する興味を喚起させることができる。
また、複数台の商品陳列装置を設置し、個々に異なる芳香を発生させた場合においても、個々の芳香は限られた空間のみに留まり相互に混合せずに、独立して芳香を感じさせることができるので、それほど広くない同一空間においても台数分の異なる香りの切り替わりを体験させ驚きを与えることができる。
【図面の簡単な説明】
【００１０】
【図１】本発明の第１の実施例の商品陳列装置の説明図である。
【図２】本発明の第１の実施例の商品陳列装置を側面から見た横断面図である。
【図３】本発明の第１の実施例の商品陳列装置の作用を説明する説明図である。
【図４】本発明の第１の実施例の商品陳列装置の気流制御方法について説明する説明図である。
【図５】本発明の第２の実施例の商品陳列装置の説明図である。
【図６】本発明の第２の実施例の商品陳列装置から放出される芳香が認識されなくなる距離を説明する説明図である。
【図７】本発明の第２の実施例の商品陳列装置から放出される芳香の異なる地点における濃度比を説明する説明図である。
【発明を実施するための形態】
【００１１】
本発明に係る商品陳列装置を実施するための形態を、実施例の図に基づいて説明する。
図１は、本発明の第１の実施例の商品陳列装置の説明図、図２は本発明の第１の実施例の商品陳列装置を側面から見た横断面図、図３は本発明の第１の実施例の商品陳列装置の作用を説明する説明図である。
図１〜図３において、１は商品陳列装置全体を示し、１０は商品を展示するカウンターユニット、２０はコラムユニット、３０は天井ユニットであり、Ｋ１はカウンターユニット１０と、コラムユニット２０及び天井ユニット３０の間に形成される前面が開放された商品陳列空間である。
【００１２】
カウンターユニット１０は、少なくとも商品を陳列する機能と、外気を取り入れ、カウンターユニット１０の上方に空気を吹出す機能とを有し、本実施例においては、略直方体形状で構成され、商品を陳列するカウンター部１１、背面板１２、左右の側面板１４、１５、前面板１６、下面板１７からなり、前記背面板１２の上方には、後述するコラムユニット２０を配置する支持部１３が設けられている。
前記カウンターユニット１０のカウンター部１１には、後方に細長い形状の吹出口１８が、設けられている。
１９は後述するコラムユニット２０に設けられたカウンターユニット１０内に外気を取り込むための外気供給口で、前記コラムユニット２０を貫通するダクト１９ａを介してカウンターユニット１０に接続されている。
なお、カウンターユニット１０に設けられる吹出口１８は、該カウンターユニット吹出口１８から吹出した空気が、コラムユニット２０の前面板２１に沿って上方に流れる気流となるように、整流板などを備えた細長い形状に構成されることが好ましい。
【００１３】
前記カウンターユニット吹出口１８から吹出す空気は、前記外気供給口１９からカウンターユニット１０内に取り込んだ外気Ａ３であり、外気供給口１９は、コラムユニット２０に設けなくてもカウンターユニット１０内に外気を取り込むことができれば、設ける箇所は特に限定されない。
外気Ａ３の取り入れについては、図３に示すように様々なバリエーションが考えられる。例えば、図３（Ａ）は、カウンターユニット１０の横長形状の吹出口１８から吹出す空気を前記コラムユニット２０に設けた外気供給口１９から取り入れる場合の気流の流れを示す図であり、同図（Ｂ）は、前記カウンターユニット１０の前面板１６に設けた外気供給口１６ａから取り入れる場合の気流の流れを示す図であり、同図（Ｃ）は、カウンターユニット１０内に設けられた仕切り板４０に、外気供給口４０ａを設けた場合の気流の流れを示す図である。また、同図（Ｄ）は、コラムユニット２０の前面板２１に外気供給口２１ａを設けた場合における気流の流れを示す図である。
なお、前記吹出口１８から吹出す空気の取入れは、例えば図３（Ｂ）と図３（Ｃ）を組み合わせ、すなわちカウンターユニット１０の前面板１６に設けた外気供給口１６ａからの取入れと、前記仕切り板４０に設けた外気供給口４０ａからの取入れを組み合わせる等、前記の（Ａ）〜（Ｄ）の構造を組み合わせることも可能である。
【００１４】
また、本実施例において、コラムユニット２０は中空の略直方体形状の筐体で構成され、前面板２１、背面板２２、左右側面板２３、２４、下面板２５とからなり、前記カウンターユニット１０の背面板１２の上方の支持部１３に起立して配置されている。
なお、２６は前記コラムユニット２０の前面板２１、背面板２２及び左右側面板２３、２４により形成される風道であり、前記コラムユニット２０は、後述する天井ユニット３０を支持するとともに、風道の役割を担っている。
【００１５】
そして、本実施例において、天井ユニット３０は、上面板３１、前面板３２、背面板３３、左右の側面板３４、３５、下面板３６からなる空洞の略直方体形状の筐体で構成されている。
また、天井ユニット３０の下面板３６の前方には、香料噴射孔３７が設けられ、後方には吸込口３８が設けられている。該吸込口３８は、カウンターユニット１０から吹出される空気と、商品陳列空間周辺の空気を大きく吸込みやすいように、横長い形状に形成されることが好ましい。
前記天井ユニット３０内には、香料噴射部３９が設けられ、該香料噴射部３９は、前記香料噴射孔３７から香料を噴射するための香料噴射ユニットが備えられている。
香料噴射孔３７の下端は前記下面板３６に設けられた吸入口３８の下端と同一の高さであってもよいが、本商品陳列装置の前を通る人や本商品陳列装置の前に立ち止まる人に芳香を届ける観点より、天井ユニット３０から下方向へ０．１〜１５ｃｍ突出していてもよく、或いは、香料を気流Ａ４に確実に乗せる観点より、天井ユニット３０から上方向へ０．１〜１０ｃｍ窪んでいてもよい。
該香料噴射ユニットには、香料収納部、香料収納部から香料を吸引して揮発した香料を気相中に噴霧させるためのマニピュレータ−、香料収納部の香料をマニピュレータ−で吸引するためのエアポンプ、噴霧された香料を空気と混合して芳香を感じさせたい空間に拡散させるファン、香料を含んだ空気の整流板を備えた噴射ノズル（何れも図示しない）が備えられ、香料噴射孔３７から好適な濃度の香料を噴射できるよう構成され、さらに、任意の方向に香料を噴射できるよう噴射ノズルは角度を調整可能な構造となっている。
香料噴射孔３７の向きと本商品陳列装置の設置面の垂直方向との角度は本商品陳列装置の前を通る人や本商品陳列装置の前に立ち止まる人に芳香を届ける観点より、本商品陳列装置を正面から見て手前側、または、後方側に傾きを持たせても良い。手前側への傾斜を正の数値で表現した場合、好ましくは−１０°〜９０°であり、より好ましくは−５°〜６０°であり、更に好ましくは０°〜４５°である。同様に、香料噴射孔３７の向きと本商品陳列装置の前後方向との角度は、本商品陳列装置を正面から見て右側、または、左側に傾きを持たせても良いが、その範囲は、商品陳列装置の前を通る人や本商品陳列装置の前に立ち止まる人に芳香を届ける観点より、好ましくは０°〜３０°であり、より好ましくは０°〜２０°であり、更に好ましくは０°〜１０°である。
前記香料噴射部３９は1台の商品陳列装置には少なくとも1個設けられている。
従って、1台の商品陳列装置に複数個の香料噴射部３９を設けて複数の香料を切り替えて噴射することができる。
なお、本発明の商品陳列装置は、後述するように天井ユニットに設けられた吸込口より香料噴射部３９から商品陳列空間に噴射された香料を大きく吸込み商品陳列装置の外に排出しているので、1台の商品陳列装置に複数個の香料噴射部を設けて複数の香料を切り替えて噴射しても相互の香料が混合することを抑えることができる。
香料噴射部３９は１つでも２つ以上でも良い。香りのする特定の空間を効果的に形成させる観点から、装置正面から見て左右に偏りがなく中心部に配置するのが最も良いが、装置中心部を中心として装置の横幅の２／３の長さの範囲に配置することが望ましい。具体的には、本商品陳列装置の前にいる人に効率的に芳香を届ける観点より、複数個の香料噴射部は其々噴射部の末端から０．１ｃｍ以上離隔しているのが好ましく、０．１〜３０ｃｍ離隔しているのがより好ましく、０．１〜２０ｃｍ離隔しているのが更に好ましい。
これによって、商品陳列装置の前に立ち止まる人が香りを感じることができると同時に、香りは天井ユニットに吸込まれる気流Ａ４に乗るので周囲への香りの拡散を防ぐことができる。
本商品陳列装置を正面から見た場合の前記吸込口３８の手前側の端部から前記香料噴射孔３７奥側端部までの距離は、商品陳列装置の前を通る人や本商品陳列装置の前に立ち止まる人に芳香を届ける観点より、好ましくは０．１〜８ｃｍであり、より好ましくは１〜７ｃｍであり、更に好ましくは２〜５ｃｍである。
【００１６】
なお、本実施例において、空間Ｋ１は、カウンターユニット１０のカウンター部１１、コラムユニット２０の前面板２１及び天井ユニット３０の下面板３６とで構成される商品陳列空間であり、前面が開放されている。
そして、前記空間Ｋ１内に向かって、前記カウンターユニット１０の吹出口１８から前記空間Ｋ１に向かって吹出される空気と、天井ユニット３０の香料噴射部３９から噴射される香料と、商品陳列空間周辺の空気が天井ユニット３０の吸込口３８から吸込まれる構成となっている。
前記香料噴射部３９からの香料の噴射については、商品陳列装置に香料噴射部３９の制御装置を設け、常時噴射させたり、手動により一定時間噴射させたり、あるいは商品陳列装置に人の接近を認識する人感センサーを設け、該人感センサーが人を感知したときに香料噴射部３９を駆動させたりする等の複数の制御方法が考えられ、商品陳列装置の配置場所や、商品の展示・販促方針等にあわせて、適宜選択することができる。
なお、商品陳列空間Ｋ１の前面の空間Ｔ１は、図４に示すとおり、カウンターユニット１０のカウンター部１１、コラムユニット２０の前面板２１及び天井ユニット３０の下面板３６とで構成される商品陳列空間Ｋ１の前面に立つ人の上半身を包み込むような、カウンターユニットからおよそ７０ｃｍ以内にある空間の範囲である。
【００１７】
前記カウンターユニット１０の内部には、仕切り板４０、前記カウンターユニット内部の空気や芳香を排気する排気ファン４１、コラムユニット２０に設けられた外気供給口１９からカウンターユニット１０内部への外気の吸込みと、カウンターユニット１０のカウンター部１１に設けられた吹出口１８からカウンターユニット１０内部の空気を吹出す吹出ファン４２、排気ファン４１及び吹出ファン４２を駆動させる電源装置４３、前記排気ファン４１に接続された消音ボックス４４が、また前記カウンターユニット１０内部の空気や芳香を脱臭する脱臭フィルタ（例えば、活性炭フィルタ）４５が設けられている。
なお、本実施例においては、前記吹出ファン４２は前記細長い形状の吹出口１８に合わせてクロスフローファンを使用しているが、上記機能を果たすことができるものであれば、特に限定はされない。
【００１８】
図３に基づいて、本発明の商品陳列装置における気流の流れ（作用）について詳細に説明する。
図３（Ａ）において、Ａ１は、前記天井ユニット３０の下面板３６に設けられた香料噴射孔３７から香料噴射部３９により商品陳列空間Ｋ１の前面に噴射された芳香の気流、Ａ２は、カウンターユニット１０のカウンター部１１の吹出口１８から吹出ファン４２により商品陳列空間Ｋ１に放出された空気の気流、Ａ３は、カウンターユニット１０の外気供給口１９から吸込まれた空気の気流、Ａ４は、商品陳列空間Ｋ１の前面空間Ｔ１から排気ファン４１により天井ユニット３０の吸込口３８に吸込まれる空気の気流、Ａ５は前記香料噴射ユニットにより商品陳列空間Ｋ１に噴射された芳香の気流Ａ１の一部と、前記天井ユニット３０の吸込口３８から吸込まれた空気の気流Ａ２と前記商品陳列空間Ｋ１の前面の空間Ｔ１から吸込まれる空気の気流Ａ４とが混合された空気の気流であり、該気流Ａ５は、排気ファン４１により、コラムユニット２０の風道２６からカウンターユニット１０の脱臭フィルタ４５を介して排気される。前記脱臭フィルタ４５は、天井ユニット３０の吸込口３８から吸込まれた空気の芳香を脱臭し、商品陳列装置１の外に排気される空気が芳香を伴うことを防止している。
Ａ６は、前記芳香が脱臭された気流であり前記カウンターユニット１０の背面板１２に設けられた排気口１２ａから商品陳列装置の外に排気される。
【００１９】
図３（Ｂ）は、前記カウンターユニット１０の前面板１６に設けられた外気供給口１６ａから取り入れる場合の気流の流れを示す図であり、図３（Ｃ）において、気流ＡＣは、仕切り板４０に設けられた外気供給口４０ａから吹出ファン４２により吸込まれた空気の気流、図３（Ｄ）において、気流ＡＤは、コラムユニット２０の前面板２１に設けられた外気供給口２１ａから吹出ファン４２により吸込まれた気流であり、図３（Ｃ）と図３（Ｄ）の構成の場合には、排気する空気の一部を循環させる構成となる。
【００２０】
本発明の実施形態に係る商品陳列装置の気流について説明する。
天井ユニット３０内に備えられた香料噴射部３９から噴射した香料の気流Ａ１は、後述するように空気Ａ２とＡ４とにより商品陳列空間Ｋ１から拡散する距離が制御される。
前記香料の気流Ａ１の一部と、カウンターユニット１０の吹出口１８から吹出ファン４２により低風量を低風速で吹出されコラムユニット２０の前面板２１に沿って流れる気流Ａ２と、商品展示空間Ｋ１の前面の空間Ｔ１から吸込まれる空気Ａ４は、大きな風量を比較的速い気流速度で吸込む天井ユニット３０の下面板３６に設けられた吸込口３８から吸込まれ合流し合流空気Ａ５となる。そして、該合流空気Ａ５は、コラムユニット２０の風道２６を通り、カウンターユニット１０の脱臭フィルタ４５の通過により芳香が吸着され、脱臭された空気Ａ６は、前記カウンターユニット１０の背面板１２に設けられた排気口１２ａから商品陳列装置１の外に排気される。
商品陳列空間Ｋ１に商品陳列用に棚板を２〜３段程度設ける場合は、カウンターユニット１０の吹出口１８から吹出す上方への気流（図３のＡ２）及び前面から巻き込む気流（図３のＡ４）を妨げないようにするため、コラムユニット前面板２１から支持部分を設けて棚板を設け、コラムユニット前面板２１と棚板後端部の離隔距離を１０ｃｍ以上設けることが望ましい。
【００２１】
次に図４により本発明による商品陳列装置の気流制御方法について説明する。
本発明の商品陳列装置の気流制御は、商品陳列装置１の香料噴射部３９から噴射される芳香を商品陳列装置１の設置空間全体に行き渡らせるのではなく、商品陳列装置１の前を通る人にのみ芳香を届ける。また商品陳列装置１の前に立つ人を対象に、商品陳列装置近傍の限られた空間（カウンターユニット１０の手前から７０ｃｍ以内程度）だけに芳香を感じさせるようにするために、芳香を商品陳列装置１から到達させる距離に応じて、カウンターユニット１０の吹出口１８から吹出す空気の気流速度、天井ユニット３０の下面板３６に設けられた吸込口３８から吸込む空気の気流速度を調整する。
具体的には、前記カウンターユニット１０の吹出口１８からの吹出す風量を、天井ユニット３０の下面板３６に設けられた吸込口３８から吸込む風量の１／５〜１／１０程度になるように、カウンターユニット１０に設けた排気ファン４１及び吹出ファン４２をカウンターユニット１０に内装した電源装置４３により電気的に調節する。
例えば、前記カウンターユニット１０の吹出口１８から商品陳列空間Ｋ１に吹出す空気Ａ２の気流速度をおよそ面速０．２〜０．７m／sとし、前記天井ユニット３０の下面板３６に設けられた吸込口３８から吸込む空気Ａ５の気流速度をおよそ面速０．５〜１．５m／sとし、前記天井ユニット３０に設けられた香料噴射部から噴射される香料の噴霧量を好ましくは０．０１〜１０mg/min、より好ましくは０．１〜５mg/min、さらに好ましくは１〜３mg/minの範囲となるようにし、加えて、香料の気流速度を好ましくは０〜５m/s、より好ましくは０．５〜４m/s、さらに好ましくは２．５〜３．５ｍ／ｓの範囲となるように、香料噴射部３９の香料噴射ユニット、カウンターユニット１０に設けた排気ファン４１及び吹出ファン４２をカウンターユニット１０に内装した電源装置４３により電気的に調節する。
つまり、図４に点線Ｔ１で示すように、カウンターユニット１０の手前７０ｃｍ内の空間Ｔ１に人が立ち入ると、芳香が感じられ、カウンターユニット１０の前面板１６と天井ユニットの前面板３２を結ぶ面から商品陳列装置１の中の商品陳列空間Ｋ１に人の嗅覚部や上半身を入れなくても、芳香が感じられるようになる。
香料の種類により濃度と人の官能は一定の関係ではなく、異なる香り強度（希釈倍数による閾値）を持つことが知られており、このように、風量を可変とすることで、香料の種類によって芳香を感じる範囲を任意に変更することができる構成となっている。
なお、本発明にかかる商品陳列装置は、カウンターユニット１０からコラムユニット２０の前面板２１に沿って上方向に吹出す気流（図４のＡ２）と、天井ユニット３０下部の吸込口３８から吸込む気流（図４のＡ４）により、香料噴射部３９から噴射された香料が商品陳列装置前面空間Ｔ１から大きく外れて拡散することなく、捕集され脱臭されることを特徴とし、上記気流速度に限定されることなく、この発明の要旨を変更しない範囲で種々設計変更しうるものである。
【００２２】
図５は、本発明の第２の実施例の商品陳列装置の説明図である。
図５に示すように、第１実施例の商品陳列装置に側板７１、７２を設けている。これは、商品陳列装置を設置する環境において通常の換気がなされていれば、第１実施例の商品陳列装置のように側板が無くても芳香の流れを制御することができるが、商品陳列装置を設置する環境の換気条件によっては気流の流れが変わるのでこれに対応するための構成である。
図中のＫ２は、カウンターユニット１０のカウンター部１１とコラムユニット２０の前面板２１と天井ユニット３０の下面板３６及び両側板７１、７２とで構成された商品陳列空間である。
このように側板が設けられても、機能は損なわれないし、側板を設けることで該側板を利用して商品陳列空間に商品の展示棚等を設けることができる。
【００２３】
上記第１の実施例及び第２の実施例ともに、カウンターユニット１０及び天井ユニット３０を直方体形状の筐体で説明したがこれに限定されるものではなく、カウンターユニット１０のカウンター部１１の吹出口１８を設け、そこから吹出す空気、天井ユニット３０の香料噴射部３９から噴射される香料及び商品陳列空間周辺の空気を吸込むための吸込口３８を備えた天井ユニット３０から構成されれば、円柱形状や多角形の形状等の筐体であってもよく、またより大型の形状や小型の形状であってもよく、この発明の要旨を変更しない範囲で種々設計変更しうる。
【００２４】
図６は、気流シミュレーションソフトを使い、本発明の第２の実施例の商品陳列装置から放出される芳香が認識されなくなる距離を説明する説明図、図７は本発明の第２の実施例の商品陳列装置から放出される芳香の異なる地点における濃度比を説明する説明図で、商品陳列空間内の芳香成分濃度（Ａ地点）と商品陳列空間の前面空間Ｔ１から外れた地点（Ｂ地点）における濃度を説明する図である。
図６の商品陳列装置１は、全体の高さを２００ｃｍ、横幅を７５ｃｍ、奥行き４０ｃｍ、カウンターの高さ（設置面からカウンター部までの距離）８０ｃｍ、天井ユニット３０の高さ２０ｃｍで構成されている。
同図において、Ａは商品陳列空間内のカウンター部１１上（Ａ地点）、Ｂは該Ａの地点より水平に１ｍ離隔した位置（Ｂ地点）、Ｃは前記Ａの地点より水平に５０ｃｍ離隔した位置（Ｃ地点）、Ｄは前記Ａの地点より水平に１ｍ５０ｃｍ離隔した位置（Ｄ地点）である。本シミュレーションでは、前記構成の商品陳列装置１で、商品陳列空間内に向かって香料噴射部から香料を噴霧量１３ｍｇ/ｍｉｎ、気流速度３ｍ／ｓで噴射し、カウンターユニット１０のカウンター部１１に設けられた吹出口１８から吹出気流速度０．５ｍ／ｓ（面速）の空気を吹出し、天井ユニット３０の下面板３６の後方の吸込口３８から吸込気流速度１ｍ／ｓ（面速）で空気を吸込む設定とした。
上記の設定により商品陳列空間内に向かって香料噴射部から香料を噴霧した場合、商品陳列空間の前面空間Ｔ１において芳香が感じられ、Ｄ地点においては全く芳香が感じられない。
【００２５】
図７は、上記の条件で行った気流シミュレーションの結果である上記Ａ地点、Ｂ地点（Ａ地点から水平に１ｍ離隔した地点）の濃度を比較した図である。
縦軸は、Ａ地点、Ｂ地点の濃度比を、横軸は、経過時間を表す。
なお、縦軸の濃度比が１／１０8付近より小さいと、香り強度の官能試験において芳香が感じられなくなることを確認済みである。
同図に示すように、Ａ地点では十分な芳香が感じられる濃度であるのに対して、２分後におけるＢ地点の濃度は、Ａ地点の濃度を１とした場合、芳香は感じられない１／１０8未満の濃度である。
このことからも、上記条件下で、商品陳列装置の空間前面に向かって噴射される香料の芳香は、噴射直後であっても商品陳列装置１から１ｍ離れた位置（Ｂ地点）で、ほぼ感じることはないことがわかる。つまり、本発明にかかる商品陳列装置１が、芳香を商品陳列装置の７０ｃｍ以内程度に留め、それ以上の拡散を抑えているということになる。
また、上記結果によれば、噴射直後において芳香をその近傍の限られた狭い空間だけに感じさせることができ、定常的に芳香を噴射した場合においても、芳香が周囲に拡散しないことがわかる。
【００２６】
なお、発明者は前記気流シミュレーションソフトを使い、様々な気流速度を組み合わせて前記Ａ地点、Ｂ地点の芳香成分濃度を予測した。その結果、カウンターユニット１０のカウンター部１１に設けられた吹出口１８からの気流速度を面速０．２〜０．７ｍ／ｓ内外、天井ユニット３０の下面板３６の後方の吸込口３８からの吸込気流速度を面速０．５ｍ／ｓ〜１．５ｍ／ｓ内外、前記の商品陳列装置における商品陳列空間Ｋ１の前面に向かって香料噴射部から香料を噴射する香水噴射速度を２．５〜３．５ｍ／ｓ内外とすると、上記の条件下の商品陳列装置における好適な気流の制御となることを確認した。
【００２７】
次に、発明者は本発明の商品陳列装置の作動中における上記Ａ地点、Ｃ地点及びＤ地点の芳香強度について香りの専門パネル(n=5)で評価したところ、Ａ地点及びＣ地点では十分な芳香が感じられたのに対し、１．５ｍ離隔したＤ地点では芳香が感じられず、芳香が周囲に拡散しないことがわかった。
【００２８】
本発明にかかる商品陳列装置及び商品陳列装置の気流制御方法によれば、商品陳列装置の前を通る人に芳香を届けることで商品陳列装置に対して興味を喚起させ、また商品陳列装置の前に立つ人を対象に、その近傍の限られた狭い空間だけに芳香を感じさせ、集まった顧客の興味を喚起させることができる。
そして、例えば、本発明の商品陳列装置を人の流れに沿って複数台設置し、それぞれの商品陳列装置ごとに放出する芳香を変えても、隣り合う商品陳列装置からの芳香が混合することがなく、商品陳列装置ごとに、その前を通る人や商品陳列装置の前に立ち止まる人に異なる芳香を紹介することができる。
【産業上の利用可能性】
【００２９】
なお、本発明にかかる商品陳列装置は、香水や化粧品等の展示・販促に限らず、飲食店の店頭や居住空間においても、商品陳列装置近傍の限られた範囲に任意の芳香を発生させ、集客の用途やリラクゼーション効果の用途などにも適用できる。
【符号の説明】
【００３０】
１：商品陳列装置
１０：カウンターユニット
１１：カウンター部
１２：背面板
１３：支持部
１４、１５：側面板
１６：前面板
１７：下面板
１８：吹出口
１９：外気供給口
２０：コラムユニット
２１：前面板
２２：背面板
２３、２４：側面板
２５：下面板
２６：風道
３０：天井ユニット
３１：上面板
３２：前面板
３３：背面板
３４、３５：側板
３６：下面板
３７：香料噴射孔
３８：吸込口
３９：香料噴射部
４０：仕切り板
４１：排気ファン
４２：吹出ファン
４３：電源装置
４４：消音ボックス
４５：脱臭フィルタ
【図１】
2020162923.tif 000003
【図２】
2020162923.tif 000004
【図３】
2020162923.tif 000005
【図４】
2020162923.tif 000006
【図５】
2020162923.tif 000007
【図６】
2020162923.tif 000008
【図７】
2020162923.tif 000009